(57)【要約】【課題】定量性のある情報を出力することを課題とする。【解決手段】実施の形態に係るＸ線ＣＴ装置は、重粒子線をターゲットに照射することでＸ線を発生させる。例えば、Ｘ線ＣＴ装置は、重粒子線源と、重粒子引出部と、高圧電源と、ターゲットとを含む。重粒子線源は、重粒子イオンを発生する。重粒子引出部は、重粒子イオンを加速管に引き出す。高圧電源は、重粒子イオンを加速管にて加速するための高電圧を加速管に対して印加する。ターゲットは、加速管にて加速された重粒子イオンの入射を受けてＸ線を発生する。【選択図】図１
2012085971.tif 000002
【特許請求の範囲】
【請求項１】
重粒子線をターゲットに照射することでＸ線を発生させることを特徴とするＸ線ＣＴ装置。
【請求項２】
重粒子イオンを発生する重粒子線源と、
前記重粒子イオンを加速管に引き出す重粒子引出部と、
前記重粒子イオンを前記加速管にて加速するための高電圧を該加速管に対して印加する高圧電源と、
前記加速管にて加速された重粒子イオンの入射を受けてＸ線を発生するターゲットと
を備えたことを特徴とする請求項１に記載のＸ線ＣＴ装置。
【請求項３】
前記Ｘ線ＣＴ装置は、
光子毎にエネルギー情報を取得するフォトンカウンティング方式の検出器を備えるものであって、
前記検出器にて作成された検出データを、前記エネルギー情報を用いてエネルギー別に分別する分別部と、
エネルギー別に分別された検出データのうち、代表エネルギー以外のエネルギーに分別された検出データを、該代表エネルギーに対応する検出データに変換する変換部と、
代表エネルギーに分別された検出データと、代表エネルギー以外のエネルギーに分別された検出データであって代表エネルギーに対応する検出データに変換された検出データとを加算する加算部と、
加算後の検出データを用いて画像を再構成する再構成部と
を備えたことを特徴とする請求項１又は２に記載のＸ線ＣＴ装置。
【請求項４】
代表エネルギー及び代表エネルギー以外のエネルギーについて、減弱係数又はＣＴ値の対応関係を記憶する変換テーブルをさらに備え、
前記変換部は、前記変換テーブルを用いて、代表エネルギー以外のエネルギーに分別された検出データから算出された減弱係数又はＣＴ値を、代表エネルギーに対応する減弱係数又はＣＴ値に変換し、変換後の減弱係数又はＣＴ値を投影することで、代表エネルギーに対応する検出データを得ることを特徴とする請求項３に記載のＸ線ＣＴ装置。
【発明の詳細な説明】
【技術分野】
【０００１】
本発明の実施の形態は、Ｘ線ＣＴ装置に関する。
【背景技術】
【０００２】
従来、電子線をターゲットに照射し、その際に発生するＸ線を利用して画像を出力するＸ線ＣＴ装置がある。このＸ線ＣＴ装置は、ある一定のエネルギーをもつＸ線（以下、単色Ｘ線）を被検体に照射したと仮定して画像を再構成する。ところが、実際に発生したＸ線は、エネルギーに幅があり、再構成の仮定に矛盾する。このため、一般に、Ｘ線ＣＴ装置は、補正を行うなどしてこの矛盾を解消しようとする。
【先行技術文献】
【特許文献】
【０００３】
【特許文献１】特開２０１０−１４８９２０号公報
【発明の概要】
【発明が解決しようとする課題】
【０００４】
しかしながら、従来のＸ線ＣＴ装置が行う補正は、定性的なものに過ぎず、この結果、Ｘ線ＣＴ装置から出力される画像のＣＴ値は、定量性をもたない。
【課題を解決するための手段】
【０００５】
実施の形態のＸ線ＣＴ装置は、重粒子線をターゲットに照射することでＸ線を発生させる。
【図面の簡単な説明】
【０００６】
【図１】図１は、第１の実施形態に係るＸ線ＣＴ装置の構成を示すブロック図である。
【図２】図２は、特性Ｘ線及び制動Ｘ線を説明するための図である。
【図３】図３は、第１の実施形態において発生するＸ線を説明するための図である。
【図４】図４は、第１の実施形態に係るＸ線ＣＴ装置の処理手順を示すフローチャートである。
【図５】図５は、第２の実施形態に係るＸ線ＣＴ装置の概要を説明するための図である。
【図６】図６は、第２の実施形態に係るコンソール装置の構成を示すブロック図である。
【図７】図７は、第２の実施形態に係る代表外エネルギー処理部による処理を説明するための図である。
【図８】図８は、第２の実施形態に係る変換テーブル記憶部を説明するための図である。
【図９】図９は、第２の実施形態に係るＸ線ＣＴ装置による処理手順を示すフローチャートである。
【発明を実施するための形態】
【０００７】
以下、実施の形態に係るＸ線ＣＴ装置を説明する。
【０００８】
（第１の実施形態）
第１の実施形態に係るＸ線ＣＴ装置１００は、電子線の代わりに重粒子線をターゲットに入射する。まず、第１の実施形態に係るＸ線ＣＴ装置１００の構成を説明する。図１は、第１の実施形態に係るＸ線ＣＴ装置１００の構成を示すブロック図である。
【０００９】
図１に示すように、Ｘ線ＣＴ装置１００は、架台回転部１と、架台固定部９と、コンソール装置２０とを含む。架台回転部１は、重粒子線源２と、重粒子引出部３と、真空ポンプ４と、高圧電源５と、加速管６と、Ｘ線管７と、検出器８とを含む。架台固定部９は、データ転送・制御部１０を含む。
【００１０】
重粒子線源２は、重粒子イオンを発生する。重粒子引出部３は、加速管６に接続され、重粒子線源２にて発生した重粒子イオンを加速管６に引き出す。真空ポンプ４は、真空引きを行い、加速管６の真空度を確保する。真空ポンプ４は、例えばスパッタイオンポンプなどである。なお、加速管６の真空度は劣化するものであるので、真空ポンプ４は、加速管６の真空度を適宜計測し、真空度が閾値以上劣化した場合に真空引きを行うなど、フィードバック制御を行ってもよい。
【００１１】
高圧電源５は、加速管６に対して高電圧を印加する。この結果、重粒子イオンは、加速管６内で加速される。Ｘ線管７は、ターゲット金属を有する。加速管６にて加速された重粒子イオンがターゲット金属に入射すると、Ｘ線が発生する。ここで、Ｘ線管７にて発生するＸ線は、主に「特性Ｘ線」である。この点については後述する。検出器８は、Ｘ線管７にて発生し、被検体Ｐを透過（一部反応）したＸ線信号を検出し、検出したＸ線信号をＡ／Ｄ（Analog／Digital）変換して、検出データを作成する。また、検出器８は、作成した検出データをデータ転送・制御部１０に送る。
【００１２】
データ転送・制御部１０は、検出器８から送られた検出データを、コンソール装置２０に転送する。コンソール装置２０は、データ転送・制御部１０から転送された検出データに基づいて画像を再構成し、再構成した画像を出力する。
【００１３】
ここで、第１の実施形態に係るＸ線ＣＴ装置１００は、電子線の代わりに重粒子線をターゲット金属に入射することで、単色Ｘ線を発生させる。この点について図２及び図３を用いて説明する。図２は、特性Ｘ線及び制動Ｘ線を説明するための図である。図３は、第１の実施形態において発生するＸ線を説明するための図である。
【００１４】
図２及び図３において、縦軸はＸ線の強度（光子数）、横軸はＸ線のエネルギーを示す。図２に示すように、一般的なＸ線ＣＴ装置にて発生するＸ線の種類には、「特性Ｘ線」及び「制動Ｘ線」がある。
【００１５】
ここで、上述したように、従来のＸ線ＣＴ装置は、電子線をターゲット金属に照射する。「特性Ｘ線」は、ターゲット金属に入射した電子が軌道電子を弾き飛ばし、その空位に、より高いエネルギーをもつ外側の軌道の電子が移動し、その際の差分のエネルギーがＸ線として放出されたものである。この「特性Ｘ線」は、図２に示すように、エネルギーに鋭いピークをもつ。一方、「制動Ｘ線」は、ターゲット金属に入射した電子がターゲット金属の原子核から制動を受け、その際にエネルギーの一部がＸ線として放出されたものである。この「制動Ｘ線」は、図２に示すように、エネルギーに幅がある。このように、「制動Ｘ線」が、従来のＸ線ＣＴ装置にて発生するＸ線のエネルギーに幅がある原因である。
【００１６】
さて、第１の実施形態に係るＸ線ＣＴ装置１００は、電子線の代わりに重粒子線をターゲット金属に入射する。重粒子は、電子に比較し、その質量が１，０００倍以上である。このため、ターゲット金属に入射した重粒子は、ターゲット金属の原子核から殆ど制動を受けず、この結果、「制動Ｘ線」は、殆ど放出されない。一方、ターゲット金属に入射した重粒子は、電子と同様に軌道電子を弾き飛ばすので、「特性Ｘ線」は放出される。
【００１７】
このようなことから、図３に示すように、第１の実施形態において、Ｘ線管７は、主に「特性Ｘ線」を発生する。図３に示す点線は、「制動Ｘ線」が殆ど放出されないことを示す。言い換えると、第１の実施形態に係るＸ線ＣＴ装置１００は、電子線の代わりに重粒子線をターゲット金属に入射することで、単色Ｘ線を発生させることができる。
【００１８】
続いて、第１の実施形態に係るＸ線ＣＴ装置１００の処理手順を説明する。図４は、第１の実施形態に係るＸ線ＣＴ装置１００の処理手順を示すフローチャートである。
【００１９】
図４に示すように、まず、コンソール装置２０がデータ収集命令を受け付け（ステップＳ１０１肯定）、データ転送・制御部１０に命令を送信すると（ステップ１０２）、架台回転部１が回転を開始する（ステップＳ１０３）。
【００２０】
コンソール装置２０からデータ転送・制御部１０に送信された命令に従い、重粒子線源２が重粒子イオンを発生し（ステップＳ１０４）、重粒子引出部３が重粒子線源２にて発生した重粒子イオンを加速管６に引き出す（ステップＳ１０５）。
【００２１】
加速管６に引き出された重粒子イオンは、加速管６内で加速され（ステップＳ１０６）、Ｘ線管７は、加速管６内で加速された重粒子イオンを受けてＸ線を発生する（ステップＳ１０７）。
【００２２】
検出器８は、被検体Ｐを透過（一部反応）したＸ線信号を検出し、作成した検出データをデータ転送・制御部１０に送る（ステップＳ１０８）。すると、データ転送・制御部１０が、検出データをコンソール装置２０に転送し（ステップＳ１０９）、コンソール装置２０は、検出データを受信する（ステップＳ１１０）。その後、コンソール装置２０は、検出データに基づいて画像を再構成し、再構成した画像を出力する（ステップＳ１１１）。
【００２３】
上述したように、第１の実施形態に係るＸ線ＣＴ装置１００は、重粒子線をターゲットに照射するので、単色Ｘ線を発生させることができる。この結果、第１の実施形態に係るＸ線ＣＴ装置１００は、定量性のあるＣＴ値を出力することができる。
【００２４】
例えば、Ｘ線ＣＴ装置１００は、従来エネルギーに幅があるために行われてきた補正（例えばビームハードニング補正）を行う必要がない。また、例えば、Ｘ線ＣＴ装置１００は、散乱性補正を、単純に、定量的に行うことが可能になる。
【００２５】
さらに、例えば、Ｘ線ＣＴ装置１００は、定量性のあるＣＴ値を出力できる結果、ＣＴ値から分子を特定することも可能になり、分子イメージングが可能になる。ひいては、新たな診断方法が確立される可能性もある。
【００２６】
（第２の実施形態）
次に、第２の実施形態に係るＸ線ＣＴ装置１００を説明する。第１の実施形態においてＸ線ＣＴ装置１００が発生するＸ線は、主に「特性Ｘ線」であった。ここで、図２及び図３に示したように、電子線又は重粒子線を受けたターゲット金属から発生する「特性Ｘ線」は、複数のエネルギーピークをもつ。このため、画像の再構成において、例えばあるエネルギー以外の情報を捨てるといった手法も考えられるが、この場合には、被検体Ｐに照射されたＸ線の全照射量に見合う画質が得られないことになってしまう。
【００２７】
このため、第２の実施形態に係るＸ線ＣＴ装置１００は、この複数のエネルギーピークに関する補正をさらに行うことで、Ｘ線の全照射量に見合う画質の画像を得る。具体的には、第２の実施形態に係るＸ線ＣＴ装置１００は、複数のエネルギーに対応する検出データが混在する場合に、全ての検出データを、ある代表的なエネルギー（以下、代表エネルギー）の検出データに定量的に変換する。
【００２８】
まず、第２の実施形態に係るＸ線ＣＴ装置１００の概要を説明する。図５は、第２の実施形態に係るＸ線ＣＴ装置１００の概要を説明するための図である。
【００２９】
第２の実施形態に係るＸ線ＣＴ装置１００においては、フォトンカウンティング技術が用いられる。このため、第２の実施形態に係るＸ線ＣＴ装置１００は、検出器８として、フォトンカウンティング方式の検出器８を有する。第２の実施形態に係る検出器８は、被検体Ｐを透過したＸ線を光子毎に計数し、光子毎の検出データに、エネルギー情報や時刻情報などを付帯させる。
【００３０】
このように、光子毎の検出データには、エネルギー情報が付帯されることになるので、第２の実施形態に係るＸ線ＣＴ装置１００は、図５に示すように、各検出データを、「代表エネルギーの検出データ」と「代表エネルギー以外のエネルギーの検出データ」とに分別する。なお、第２の実施形態においては、「代表エネルギー」及び「代表エネルギー以外」の２つのピークエネルギーを想定する。
【００３１】
続いて、Ｘ線ＣＴ装置１００は、「代表エネルギー以外のエネルギーの検出データ」を「代表エネルギー」に対応するように変換する。そして、Ｘ線ＣＴ装置１００は、「代表エネルギーの検出データ」と、変換後の「代表エネルギー以外のエネルギーの検出データ」とを加算し、加算後の検出データを用いて画像を再構成する。
【００３２】
上述した変換などの処理は、コンソール装置２０にて実施される。そこで、第２の実施形態に係るコンソール装置２０の構成を説明する。図６は、第２の実施形態に係るコンソール装置２０の構成を示すブロック図である。
【００３３】
第２の実施形態に係るコンソール装置２０は、図６に示すように、検出データ受信部２１と、エネルギー分別部２２と、代表外エネルギー処理部２３と、検出データ加算部２７と、画像再構成部２８と、変換テーブル記憶部２９とを含む。
【００３４】
検出データ受信部２１は、データ転送・制御部１０から光子毎の検出データを受信し、受信した検出データをエネルギー分別部２２に送る。エネルギー分別部２２は、検出データ受信部２１から光子毎の検出データを受け取ると、各検出データに付帯されたエネルギー情報を読み取り、各検出データをエネルギー毎に分別する。なお、被検体Ｐ内で反応せずに透過したＸ線は、そのエネルギーが変化しない。このため、エネルギー分別部２２は、検出器８によって検出された検出データをエネルギー毎に分別することができる。
【００３５】
例えば、エネルギー分別部２２は、予め代表エネルギーを定め、代表エネルギーを示すエネルギー情報が付帯された検出データと、代表エネルギー以外のエネルギー（以下、代表外エネルギー）を示すエネルギー情報が付帯された検出データとを分別する。そして、エネルギー分別部２２は、代表エネルギーに分別された検出データをそのまま検出データ加算部２７に送り、一方、代表外エネルギーに分別された検出データを代表外エネルギー処理部２３に送る。
【００３６】
代表外エネルギー処理部２３は、代表外エネルギーに分別された検出データを対象とする処理を行う。具体的には、代表外エネルギー処理部２３は、図６に示すように、簡易再構成部２４と、減弱係数変換部２５と、投影部２６とを備える。図７は、第２の実施形態に係る代表外エネルギー処理部による処理を説明するための図である。
【００３７】
簡易再構成部２４は、図７に示すように、エネルギー分別部２２から受け取った検出データを用いて再構成を行い、代表外エネルギーの減弱係数マップを作成する。そして、簡易再構成部２４は、作成した減弱係数マップを減弱係数変換部２５に送る。
【００３８】
具体的には、簡易再構成部２４は、被検体Ｐに照射されたＸ線の光子数と被検体Ｐを透過したＸ線の光子数とを用いて、被検体ＰのＸ線に対する反応率を示す減弱係数マップを作成する。なお、簡易再構成部２４は、減弱係数マップの代わりにＣＴ画像を作成してもよい。
【００３９】
減弱係数変換部２５は、簡易再構成部２４から代表外エネルギーの減弱係数マップを受け取ると、図７に示すように、代表外エネルギーの減弱係数を、対応する代表エネルギーの減弱係数に変換し、エネルギー変換後の減弱係数マップを作成する。そして、減弱係数変換部２５は、エネルギー変換後の減弱係数マップを投影部２６に送る。
【００４０】
ここで、変換テーブル記憶部２９は、代表エネルギーの減弱係数と代表外エネルギーの減弱係数との対応関係を示すものである。減弱係数変換部２５は、代表外エネルギーの減弱係数を用いて変換テーブル記憶部２９を参照し、代表外エネルギーの減弱係数に対応付けて記憶されている代表エネルギーの減弱係数に、その減弱係数の値を変換する。減弱係数変換部２５は、このような変換を、減弱係数マップ全体について行い、エネルギー変換後の減弱係数マップを作成する。
【００４１】
第２の実施形態に係るＸ線ＣＴ装置１００は、例えばファントムを用いて、密度毎に、このような代表エネルギーの減弱係数及び代表外エネルギーの減弱係数を予め計測し、変換テーブルとして変換テーブル記憶部２９に格納する。なお、密度が同じである場合は、同じ物質であることを示す。
【００４２】
図８は、第２の実施形態に係る変換テーブル記憶部２９を説明するための図である。例えば、変換テーブル記憶部２９は、図８に示すように、代表エネルギーの減弱係数と代表外エネルギーの減弱係数との対応関係を記憶する。なお、簡易再構成部２４が、減弱係数マップの代わりにＣＴ画像を作成する場合には、変換テーブル記憶部２９は、減弱係数の対応関係の代わりにＣＴ値の対応関係を記憶すればよい。また、図８に示す変換テーブルは一例にすぎない。
【００４３】
図６に戻り、投影部２６は、図７に示すように、減弱係数変換部２５から受け取ったエネルギー変換後の減弱係数マップを用いて投影を行い、エネルギー変換後の検出データを作成する。この場合、エネルギー変換後の検出データは、代表エネルギーに対応する減弱係数に従う光子数に変換されている。投影部２６は、このような投影を、減弱係数マップ全体について行い、各位置について、エネルギー変換後の検出データを作成する。そして、投影部２６は、作成したエネルギー変換後の検出データを検出データ加算部２７に送る。
【００４４】
検出データ加算部２７は、エネルギー分別部２２から送られた代表エネルギーに分別された検出データと、投影部２６から送られたエネルギー変換後の検出データとを、各検出データが検出された位置毎に加算し、エネルギー補正後の検出データを作成する。すなわち、検出データ加算部２７は、代表エネルギーに分別された検出データが示す光子数と、エネルギー変換後の検出データが示す光子数とを位置毎に加算することで、被検体Ｐを透過したＸ線の光子数を割り出す。この光子数は、代表エネルギーに対応する減弱係数に従う値となる。そして、検出データ加算部２７は、エネルギー補正後の検出データを画像再構成部２８に送る。
【００４５】
画像再構成部２８は、検出データ加算部２７から送られたエネルギー補正後の検出データに基づいて画像を再構成し、再構成した画像をモニタに出力するなどする。
【００４６】
続いて、第２の実施形態に係るＸ線ＣＴ装置１００による処理手順を説明する。図９は、第２の実施形態に係るＸ線ＣＴ装置１００による処理手順を示すフローチャートである。
【００４７】
まず、検出データ受信部２１が検出データを受信すると（ステップＳ２０１肯定）、エネルギー分別部２２は、検出データに付帯されたエネルギー情報を読み取り、エネルギー毎に検出データを分別する（ステップＳ２０２）。エネルギー分別部２２は、代表エネルギーに分別された検出データをそのまま検出データ加算部２７に送り、一方、代表外エネルギーに分別された検出データを代表外エネルギー処理部２３に送る。
【００４８】
代表外エネルギー処理部２３に送られた検出データは、ステップＳ２０３〜Ｓ２０５の処理を経る。具体的には、まず、簡易再構成部２４が、エネルギー分別部２２から受け取った検出データを用いて再構成を行い、代表外エネルギーの減弱係数マップを作成する（ステップＳ２０３）。
【００４９】
次に、減弱係数変換部２５が、変換テーブル記憶部２９を参照し、代表外エネルギーの減弱係数を、対応する代表エネルギーの減弱係数に変換し、エネルギー変換後の減弱係数マップを作成する（ステップＳ２０４）。
【００５０】
続いて、投影部２６は、減弱係数変換部２５から受け取ったエネルギー変換後の減弱係数マップを用いて投影を行い、エネルギー変換後の検出データを作成する（ステップＳ２０５）。
【００５１】
そして、検出データ加算部２７は、エネルギー分別部２２から送られた代表エネルギーに分別された検出データと、投影部２６から送られたエネルギー変換後の検出データとを、各検出データが検出された位置毎に加算し、エネルギー補正後の検出データを作成する（ステップＳ２０６）。
【００５２】
次に、画像再構成部２８は、検出データ加算部２７から送られたエネルギー補正後の検出データに基づいて画像を再構成し（ステップＳ２０７）、再構成した画像をモニタに出力するなどする（ステップＳ２０８）。
【００５３】
上述したように、第２の実施形態に係るＸ線ＣＴ装置１００は、光子毎にエネルギー情報を取得するフォトンカウンティング方式の検出器８を有する。また、エネルギー分別部２２が、検出器８にて作成された検出データを、エネルギー情報を用いてエネルギー別に分別する。代表外エネルギー処理部２３が、エネルギー別に分別された検出データのうち、代表外エネルギーに分別された検出データを、代表エネルギーに対応する検出データに変換する。検出データ加算部２７が、代表エネルギーに分別された検出データと、代表外エネルギーに分別された検出データであって代表エネルギーに対応する検出データに変換された検出データとを加算する。画像再構成部２８が、加算後の検出データを用いて画像を再構成する。このようなことから、第２の実施形態によれば、複数のエネルギーピークをもつ検出データを、ある代表エネルギーの検出データに定量的に変換することができ、定量性を保ちつつ、被検体Ｐに照射されたＸ線の全照射量に見合う画質を得ることが可能になる。
【００５４】
なお、第２の実施形態においては、「代表エネルギー」及び「代表エネルギー以外」の２つのエネルギーピークを想定したが、これに限られるものではない。例えば、３つのエネルギーピークをもつ検出データの場合、エネルギー分別部２２は、検出データを、第１のエネルギー、第２のエネルギー、第３のエネルギーに分別すればよい。そして、代表外エネルギー処理部２３は、３つのエネルギー別に分別された検出データのうち、例えば第２のエネルギー、第３のエネルギーに分別された検出データを、例えば第１のエネルギーに対応する検出データに変換すればよい。エネルギーピークの数がさらに多い場合も同様である。
【００５５】
また、第２の実施形態においては、重粒子線を用いてＸ線を発生させるＸ線ＣＴ装置１００を想定したが、必ずしもこれに限られるものではなく、検出データをエネルギー別に分別して代表エネルギーに対応するように変換する補正は、電子線を用いてＸ線を発生させるＸ線ＣＴ装置にも適用することが可能である。
【００５６】
（その他）
また、第１の実施形態に係るＸ線ＣＴ装置１００は、検出器８として、フォトンカウンティング方式の検出器８を用いてもよいし、一般的な検出器８を用いてもよい。
【００５７】
また、第１の実施形態及び第２の実施形態においては、Ｘ線ＣＴ装置を想定して説明したが、これに限られるものではなく、Ｘ線診断装置にも、同様に適用することができる。
【００５８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５９】
１００  Ｘ線ＣＴ装置
１  架台回転部
２  重粒子線源
３  重粒子引出部
４  真空ポンプ
５  高圧電源
６  加速管
７  Ｘ線管
８  検出器
９  架台固定部
１０  データ転送・制御部
２０  コンソール装置
【図１】
2012085971.tif 000003
【図２】
2012085971.tif 000004
【図３】
2012085971.tif 000005
【図４】
2012085971.tif 000006
【図５】
2012085971.tif 000007
【図６】
2012085971.tif 000008
【図７】
2012085971.tif 000009
【図８】
2012085971.tif 000010
【図９】
2012085971.tif 000011